(57)【特許請求の範囲】
【請求項１】
筐体の外部に設置された外部アンテナのアンテナプラグが接続される外部アンテナ入力端子と、
前記筐体の内部に収容されるかまたは前記筐体にあらかじめ取り付けられた内蔵アンテナと、
前記筐体の内部に固定された固定接点と、前記固定接点と接離可能に設けられ、前記アンテナプラグが前記外部アンテナ入力端子に接続されていない状態では前記固定接点と離れており、前記アンテナプラグを前記外部アンテナ入力端子に接続する際に前記アンテナプラグと当接して前記固定接点と接触する可動接点とを有し、
前記固定接点と前記可動接点とが接触しているか否かによって、前記外部アンテナ入力端子と前記アンテナプラグとが物理的に接続されているか否かを検出するアンテナ入力検出部と、
を備えたことを特徴とする放送受信装置。
【請求項２】
前記アンテナ入力検出部の検出結果に応じて、前記外部アンテナで受信された放送波の受信信号に第一の信号処理を行う第一受信モードと前記内蔵アンテナで受信された放送波の受信信号に第二の信号処理を行う第二受信モードのうち一方を選択する受信モード選択部をさらに備えたことを特徴とする請求項１記載の放送受信装置。
【請求項３】
前記受信モード選択部が、前記第一受信モードの選択から前記第二受信モードの選択へ切り換える場合、
前記第二受信モードで放送が受信される旨、および前記第一受信モードで放送を受信したい場合は外部アンテナを接続すべき旨のメッセージを生成するメッセージ生成部をさらに備えたことを特徴とする請求項２に記載の放送受信装置。
【発明の詳細な説明】
【技術分野】
【０００１】
本発明は、放送受信装置、受信モード選択方法、および受信モード選択プログラに関する。
【背景技術】
【０００２】
従来、地上デジタルテレビジョン放送では、１チャンネルの伝送帯域を１３個のセグメントに分割して、分割された１３個のセグメントのうちの１個のセグメントを受信する放送（以下、「ワンセグ放送」という。）が知られている。ワンセグ放送は、放送受信装置の内部に収容されたアンテナまたは放送受信装置にあらかじめ取り付けられたアンテナ（以下、「内蔵アンテナ」という。）で受信されることが知られている。放送受信装置は、例えばＰＣ（ＰｅｒｓｏｎａｌＣｏｍｐｕｔｅｒ）や、携帯電話などを含む。
【０００３】
ワンセグ放送は、１３個のセグメントを受信する放送（以下、「１３セグ放送」という。）に比べて受信可能なエリアが広いから、放送受信装置が持ち運ばれたときに比較的広いエリアでテレビ視聴ができる。このため、ワンセグ放送は広く普及しつつある。また、１３セグ放送では受信から映像表示まで消費電力が非常に大きくなってしまうことも、ワンセグ放送が用いられる要因として挙げられる。
【０００４】
しかしながら、ワンセグ放送は屋外等で一時的に見る映像としては価値が高いが、１３セグ放送と比べると解像度が１／２７となる。つまり１３セグ放送の解像度は１４４０×１０８０であり、ワンセグ放送の解像度は３２０×１８０である。また、ワンセグ放送のフレームレートは１３セグ放送の１／４である。つまり１３セグ放送は６０ｆｐｓ（ｆｒａｍｅｓ  ｐｅｒ  ｓｅｃｏｎｄ）であり、ワンセグ放送は１５ｆｐｓである。このため、ワンセグ放送は映像としては物足りないものであり、例えば自宅などで落ち着いてみる映像としては不満が残るものとなる。
【０００５】
そこで、現状では、ワンセグ放送および１３セグ放送の両方に対応した放送受信装置が存在している。ところで、放送受信装置の内蔵アンテナでは１３セグ放送を十分に受信できない場合がある。１３セグ放送を視聴する場合には、例えば屋外など放送受信装置の外部に設置されたアンテナ（以下、「外部アンテナ」という。）を用いて放送波を受信することが考えられる。この場合、１３セグ放送に対応する受信モード（以下、「１３セグ受信モード」という。）では、外部アンテナで受信された放送波の受信信号は、アンテナケーブルを介して放送受信装置に入力され、入力された受信信号に１３セグ放送用の信号処理が行われる。一方、ワンセグ放送のデジタルテレビを視聴する場合には、ワンセグ放送に対応する受信モード（以下、「ワンセグ受信モード」という。）となり、内蔵アンテナで受信された放送波の受信信号に、ワンセグ放送用の信号処理が行われる。信号処理は、同調処理、復調処理を含む。
【０００６】
ここで、ワンセグ受信モードと１３セグ受信モードの選択方法としては、ユーザーの手動によって、外部アンテナで受信された放送波の受信信号と内蔵アンテナで受信された放送波の受信信号の選択を切り換えることが知られている。また、ワンセグ受信モードと１３セグ受信モードの選択方法としては、アンテナで受信された放送波の電界強度に応じて、２つの受信モードを自動的に切り換えることも知られている。
【先行技術文献】
【特許文献】
【０００７】
【特許文献１】特開２００８−１６６９３３号公報
【発明の概要】
【発明が解決しようとする課題】
【０００８】
しかしながら、従来技術では、煩雑な操作を要さずにユーザーが希望する受信モードを選択することについて考慮されていない。
【０００９】
具体的には、ユーザーの手動によって外部アンテナに係る受信信号と内蔵アンテナに係る受信信号の選択を切り換える従来技術では、切り換え操作自体が煩雑となる。また、従来技術では、ユーザーが選択を切り換えない限り、自宅などで１３セグ放送を視聴できる環境にいるのにワンセグ放送を受信してしまうおそれがある。
【００１０】
また、アンテナで受信された放送波の電界強度に応じてワンセグ放送と１３セグ放送とを自動的に切り換える場合、ユーザーの受信モードの希望が反映されないおそれがある。つまり、ユーザーがワンセグ放送を選択したいのに自動的に１３セグ放送に切り換わったり、逆に１３セグ放送を選択したいのに自動的にワンセグ放送に切り替わったりするおそれがある。また、電界強度がワンセグ放送と１３セグ放送の切り換えの境界付近である場合に、ワンセグ放送と１３セグ放送が頻繁に切り替わって煩わしいこともある。
【００１１】
開示の技術は、上記に鑑みてなされたものであって、煩雑な操作を要さずにユーザーが希望する受信モードを選択することができる放送受信装置、受信モード選択方法、および受信モード選択プログラムを提供することを目的とする。
【課題を解決するための手段】
【００１２】
本願の開示する放送受信装置は、一つの態様において、筐体の外部に設置された外部アンテナのアンテナプラグが接続される外部アンテナ入力端子と、筐体の内部に収容されるかまたは筐体にあらかじめ取り付けられた内蔵アンテナとを有する。また、前記筐体の内部に固定された固定接点と、前記固定接点と接離可能に設けられ、前記アンテナプラグが前記外部アンテナ入力端子に接続されていない状態では前記固定接点と離れており、前記アンテナプラグを前記外部アンテナ入力端子に接続する際に前記アンテナプラグと当接して前記固定接点と接触する可動接点とを有し、前記固定接点と前記可動接点とが接触しているか否かによって、前記外部アンテナ入力端子と前記アンテナプラグとが物理的に接続されているか否かを検出するアンテナ入力検出部を有する。
【発明の効果】
【００１３】
本願の開示する放送受信装置の一つの態様によれば、煩雑な操作を要さずにユーザーが希望する受信モードを選択することができるという効果を奏する。
【図面の簡単な説明】
【００１４】
【図１】図１は、実施例にかかる放送受信装置の全体構成ブロックを示す図である。
【図２】図２は、アンテナ制御部とＴＶ制御部の機能ブロックを示す図である。
【図３Ａ】図３Ａは、アンテナ入力検出部およびアンテナ入力選択部の一例を示す図である。
【図３Ｂ】図３Ｂは、アンテナ入力検出部およびアンテナ入力選択部の一例を示す図である。
【図３Ｃ】図３Ｃは、アンテナ入力検出部およびアンテナ入力選択部の一例を示す図である。
【図４】図４は、実施例にかかる放送受信装置の動作フローを示す図である。
【図５】図５は、１３セグ放送からワンセグ放送へ切り換えた際のメッセージの表示例を示す図である。
【発明を実施するための形態】
【００１５】
以下に、本願の開示する放送受信装置、受信モード選択方法、および受信モード選択プログラムの実施例を図面に基づいて詳細に説明する。なお、この実施例により開示技術が限定されるものではない。
【実施例】
【００１６】
図１は、実施例にかかる放送受信装置の全体構成ブロックを示す図である。この実施例では、放送受信装置の一例として、可搬型ＰＣつまりノートＰＣを例に挙げて説明する。ただし、放送受信装置は可搬型ＰＣに限らず、例えば携帯電話、ＰＤＡ（Ｐｅｒｓｏｎａｌ  Ｄｉｇｉｔａｌ  Ａｓｓｉｓｔａｎｃｅ）などの情報装置を含む。
【００１７】
また、以下では、地上デジタルテレビジョン放送におけるワンセグ受信モードと１３セグ受信モードの選択について説明するが、これには限られない。すなわち、デジタル放送は、地上デジタルテレビジョン放送の他、地上デジタルラジオ放送など様々なものが知られている。例えば地上デジタルラジオ放送は、伝送帯域を３個のセグメントに分割して、分割された３個のセグメントのうちの１個のセグメントを受信する受信モードと、３個のセグメントを受信する受信モードを有する。その他、外部アンテナと内蔵アンテナの両方に対応している放送受信装置であって、外部アンテナに係る放送波と内蔵アンテナに係る放送波とで受信処理が異なるものに対しては、以下の実施例を同様に適用することができる。
【００１８】
図１に示すように、可搬型ＰＣ１００は、システムコントローラ１０２を有する。システムコントローラ１０２には、バス１０４を介して、ＣＰＵ（Ｃｅｎｔｒａｌ  Ｐｒｏｃｅｓｓｉｎｇ  Ｕｎｉｔ）１０６と、主記憶装置１０８と、表示部１１０と、ＨＤＤ（Ｈａｒｄ  Ｄｉｓｋ  Ｄｒｉｖｅ）１１２が接続される。また、システムコントローラ１０２には、バス１０４を介して、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）１１４が接続される。また、システムコントローラ１０２には、バス１０４を介して、ＣＤ（Ｃｏｍｐａｃｔ  Ｄｉｓｃ）／ＤＶＤ（Ｄｉｇｉｔａｌ  Ｖｅｒｓａｔｉｌｅ  Ｄｉｓｋ）ドライブ１１６と、キーボードコントローラ１１８が接続される。また、システムコントローラ１０２には、バス１０４を介して、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）１２０が接続される。また、システムコントローラ１０２には、バス１０４を介して、ＴＶ（ＴｅｌｅＶｉｓｉｏｎ）制御部１２２と、電源監視部１２４と、アンテナ制御部１２６が接続される。システムコントローラ１０２と、システムコントローラ１０２に接続される各ブロックは、可搬型ＰＣ１００の筐体１５０の内部に収容される。
【００１９】
以下、各ブロックについて説明する。システムコントローラ１０２は、可搬型ＰＣ１００のシステム全体の制御を行う。システム全体の制御は、例えばデータの入出力管理などを含む。本実施例においては、主記憶装置１０８にＯＳ（Ｏｐｅｒａｔｉｎｇ  Ｓｙｓｔｅｍ）、ＢＩＯＳ（Ｂａｓｉｃ  Ｉｎｐｕｔ／Ｏｕｔｐｕｔ  Ｓｙｓｔｅｍ）、アプリケーション等が展開される。ＣＰＵ１０６は、主記憶装置１０８に展開されるＯＳ、ＢＩＯＳなどの各種プログラムを実行する。主記憶装置１０８は、システムコントローラ１０２によってＨＤＤ１１２から読み出されたプログラムを実行する際の作業エリアとして使用される。
【００２０】
表示部１１０は、ＣＰＵ１０６がシステムコントローラ１０２を介して出す命令に基づいた表示、放送の各チャンネルの表示、およびＤＶＤ再生画像の表示等を行う。ＨＤＤ１１２には、ＯＳやアプリケーションプログラムが格納される。ＥＰＲＯＭ１１４には、可搬型ＰＣ１００に電源が投入された後に最初に実行されるＢＩＯＳが格納される。ＣＤ／ＤＶＤドライブ１１６は、ＯＳやアプリケーションの指示に基づき、可搬型ＰＣ１００に設けられたＣＤ／ＤＶＤ装填口を介して挿入されたＣＤ／ＤＶＤに記録された情報のリードや、ＣＤ／ＤＶＤへの情報のライトなどのアクセスを行う。
【００２１】
キーボードコントローラ１１８は、可搬型ＰＣ１００に設けられた入力インターフェースを介して入力される指令を検出する。入力インターフェースは、例えばキーボード、マウスなどを含む。ＣＭＯＳ１２０には、ＢＩＯＳメニューの設定が記憶される。電源監視部１２４は、可搬型ＰＣ１００に電源が投入されているか否かを監視する。
【００２２】
ところで、図１に示すように、本実施例の可搬型ＰＣ１００は、筐体１５０の内部に収容された内蔵アンテナ１３０を有する。内蔵アンテナ１３０で受信された放送波の受信信号は、アンテナ制御部１２６に入力される。一方、例えば屋外など筐体１５０の外部には外部アンテナ１４０が備えられる。外部アンテナ１４０はアンテナケーブル１４２を介してアンテナプラグ１４４に接続される。筐体１５０には、アンテナプラグ１４４が接続される外部アンテナ入力端子１５２が設けられる。アンテナプラグ１４４と外部アンテナ入力端子１５２が接続された状態では、外部アンテナ１４０で受信された放送波の受信信号は、アンテナケーブル１４２、アンテナプラグ１４４、および外部アンテナ入力端子１５２を介してアンテナ制御部１２６に入力される。
【００２３】
アンテナ制御部１２６は、内蔵アンテナ１３０で受信された放送波の受信信号と外部アンテナ１４０で受信された放送波の受信信号のいずれか一方を選択する機能を有する。アンテナ制御部１２６で選択された受信信号は、バス１０４を介してＴＶ制御部１２２に入力される。
【００２４】
ＴＶ制御部１２２は、チューナつまり同調器を有する。また、ＴＶ制御部１２２は、復調器などテレビ映像を生成するための各種の信号処理を行う機能を有する。ＴＶ制御部１２２は、アンテナ制御部１２６から出力された受信信号を取り込み、取り込んだ受信信号に対して同調、復調などの信号処理を行って各チャンネルを受信する。また、ＴＶ制御部１２２は、信号処理された受信信号に基づいてテレビ映像を生成して表示する機能、およびテレビ映像をＨＤＤ１１２に記録する機能を有する。以下、アンテナ制御部１２６とＴＶ制御部１２２の詳細を説明する。
【００２５】
図２は、アンテナ制御部１２６とＴＶ制御部１２２の機能ブロックを示す図である。図２に示すように、アンテナ制御部１２６は、アンテナ入力検出部１６０を有する。アンテナ入力検出部１６０は、外部アンテナ入力端子１５２とアンテナプラグ１４４とが物理的に接続されているか否かを検出する。言い換えれば、アンテナ入力検出部１６０は、外部アンテナ入力端子１５２にアンテナプラグ１４４が差し込まれているか否かを検出する。
【００２６】
また、アンテナ制御部１２６は、アンテナ入力選択部１６２を有する。アンテナ入力選択部１６２は、アンテナ入力検出部１６０の検出結果に応じて、外部アンテナ１４０で受信された放送波の受信信号と内蔵アンテナ１３０で受信された放送波の受信信号のいずれか一方を選択する。
【００２７】
一方、ＴＶ制御部１２２は、録画番組の管理を行う録画番組管理部１７０と、映像の表示を制御する映像表示部１８０とを有する。録画番組管理部１７０は、１３セグ放送およびワンセグ放送のテレビ放送をＨＤＤ１１２に蓄積させる１３セグ録画機能部１７２と、ワンセグ放送のみのテレビ放送をＨＤＤ１１２に蓄積させるワンセグ録画機能部１７４とを有する。なお、１３セグ放送およびワンセグ放送のテレビ放送を蓄積するのは、ＨＤＤ１１２に限らず主記憶装置１０８とすることもできる。以下の説明において、ＨＤＤ１１２に情報を格納したりＨＤＤ１１２から情報を読み出したりする場合も同様に、ＨＤＤ１１２に代えて主記憶装置１０８としてもよい。また、録画番組管理部１７０は、ＨＤＤ１１２に蓄積されたコンテンツの削除を行う録画番組削除機能部１７６を有する。
【００２８】
映像表示部１８０は、ＨＤＤ１１２に蓄積された１３セグ放送のコンテンツを読み出して再生する１３セグ録画番組再生部１８２と、ＨＤＤ１１２に蓄積されたワンセグ放送のコンテンツを読み出して再生するワンセグ録画番組再生部１８４とを有する。また、映像表示部１８０は、アンテナ入力検出部１６０の検出結果に応じてアンテナ入力選択部１６２から出力された受信信号に対して所定の信号処理を行い、信号処理された受信信号に基づいてテレビ映像を生成して表示する。
【００２９】
具体的には、映像表示部１８０は、１３セグテレビ視聴部１８６とワンセグテレビ視聴部１８８を有する。１３セグテレビ視聴部１８６は、外部アンテナ入力端子１５２にアンテナプラグ１４４が差し込まれていたら、アンテナ入力選択部１６２から出力された１３セグ放送の受信信号に対して１３セグ放送用の信号処理を行う。また、ワンセグテレビ視聴部１８８は、外部アンテナ入力端子１５２からアンテナプラグ１４４が抜かれていたら、アンテナ入力選択部１６２から出力されたワンセグ放送の受信信号に対してワンセグ放送用の信号処理行を行う。
【００３０】
また、本実施例では、受信モード選択部１９０は、アンテナ入力選択部１６２と、１３セグテレビ視聴部１８６と、ワンセグテレビ視聴部１８８とを含む。すなわち、受信モード選択部１９０は、アンテナ入力検出部１６０の検出結果に応じて、１３セグ受信モードと、ワンセグ受信モードの一方を選択する。１３セグ受信モードは、外部アンテナ１４０の受信信号に１３セグ放送用の信号処理を行う受信モードである。ワンセグ受信モードは、内蔵アンテナ１３０の受信信号にワンセグ放送用の信号処理を行う受信モードである。
【００３１】
なお本実施例では、受信モード選択部１９０は、アンテナ入力選択部１６２と１３セグテレビ視聴部１８６とワンセグテレビ視聴部１８８とを含んでいるが、これには限定されない。例えば、受信モード選択部１９０にはアンテナ入力選択部１６２を設けずに、外部アンテナ１４０に係る受信信号を１３セグテレビ視聴部１８６に入力することができる。また、受信モード選択部１９０にはアンテナ入力選択部１６２を設けずに、内蔵アンテナ１３０に係る受信信号をワンセグテレビ視聴部１８８に入力することができる。この場合、１３セグテレビ視聴部１８６は、アンテナ入力検出部１６０の検出結果を監視して、外部アンテナ入力端子１５２にアンテナプラグ１４４が差し込まれていたら、１３セグ放送に係る受信信号に対して１３セグ放送用の信号処理を行うことができる。また、ワンセグテレビ視聴部１８８は、アンテナ入力検出部１６０の検出結果を監視して、外部アンテナ入力端子１５２からアンテナプラグ１４４が抜かれていたら、ワンセグ放送に係る受信信号に対してワンセグ放送用の信号処理を行うことができる。
【００３２】
ところで、映像表示部１８０は、メッセージ生成部１８９を有する。メッセージ生成部１８９は、１３セグ放送とワンセグ放送の切り換えに関してユーザーに確認を促すメッセージを生成して表示するものである。メッセージ生成部１８９の詳細は後述する。
【００３３】
続いて、図３Ａ−図３Ｃを用いて、アンテナ入力検出部１６０およびアンテナ入力選択部１６２の詳細を説明する。図３Ａ−図３Ｃは、アンテナ入力検出部１６０およびアンテナ入力選択部１６２の一例を示す図である。図３Ａ−図３Ｃに示すように、アナログマルチプレクサ２０２の「ＩＮＴ．ＡＮＴ」で示されるポートには、内蔵アンテナ１３０で受信された放送波の受信信号が入力される。また、アナログマルチプレクサ２０２の「ＥＸＴ．ＡＮＴ」で示されるポートには、外部アンテナ１４０で受信された放送波の受信信号が入力される。
【００３４】
図３Ａの例では、アナログマルチプレクサ２０２の「ＳＥＬ」で示されるポートには可動接点２１０の一端が電気的に接続される。「ＳＥＬ」ポートは、抵抗２１２を介してグラウンド（０Ｖ）にプルダウンされる。可動接点２１０は「ＳＥＬ」ポートとの接続端から可搬型ＰＣ１００の筐体１５０の方向に向かって延在して設けられる。可動接点２１０の「ＳＥＬ」ポートとの接続端は位置固定されており、かつ可動接点２１０は延在方向に交差する方向からの外力によって弾性変形する部材で形成される。
【００３５】
可動接点２１０の「ＳＥＬ」ポートとの接続端の反対側の端部は、可搬型ＰＣ１００の筐体１５０の外部に突出する。可動接点２１０の突出端部２１４は、外部アンテナ入力端子１５２の外周の近傍に位置する。また、可動接点２１０の突出端部２１４には、外部アンテナ入力端子１５２の方向に向けてＶ字状に突出するように折り曲げられた折り曲げ部２１６が形成される。一方、固定接点２２０は、可搬型ＰＣ１００の筐体１５０内の位置にあり、かつ可動接点２１０の可動範囲内に位置して設けられる。固定接点２２０は、＋５Ｖの電圧がかけられた電圧端子２２２に接続される。
【００３６】
可動接点２１０は、アンテナプラグ１４４が外部アンテナ入力端子１５２から抜かれている状態では、固定接点２２０と離れるように設けられる。アンテナプラグ１４４が外部アンテナ入力端子１５２から抜かれている状態では、「ＳＥＬ」ポートはプルダウンされているので「ＳＥＬ」ポートの入力は０Ｖとなる。
【００３７】
一方、外部アンテナ入力端子１５２は、可搬型ＰＣ１００の筐体１５０の外側に筒状に突出して設けられる。一方、アンテナプラグ１４４は、外部アンテナ入力端子１５２の筒径より大きく形成された筒状部１４５と、この筒状部１４５の中心を通る放送波の受信信号の信号芯線を有する。アンテナプラグ１４４の筒状部１４５は、アンテナプラグ１４４を外部アンテナ入力端子１５２に挿入して接続させた際に、外部アンテナ入力端子１５２の外周に嵌められるように形成される。
【００３８】
ところで、折り曲げ部２１６は、アンテナプラグ１４４が外部アンテナ入力端子１５２に挿入される際の筒状部１４５の挿入路に位置する。したがって、アンテナプラグ１４４を外部アンテナ入力端子１５２に挿入する際、筒状部１４５が折り曲げ部２１６に当接する。その結果、折り曲げ部２１６は、外部アンテナ入力端子１５２から遠ざかる方向へ動き、固定接点２２０と接触する。固定接点２２０は＋５Ｖの電圧がかけられているから、アンテナプラグ１４４が外部アンテナ入力端子１５２に差し込まれた状態では、「ＳＥＬ」ポートの入力は＋５Ｖとなる。アンテナプラグ１４４が外部アンテナ入力端子１５２から抜かれた場合に、筒状部１４５と折り曲げ部２１６の接触が解除される。これにより可動接点２１０には元の位置に復元する力が加わる。その結果、可動接点２１０は固定接点２２０と離れるから、「ＳＥＬ」ポートの入力は０Ｖとなる。アンテナ入力検出部１６０は、「ＳＥＬ」ポートの入力が０Ｖか＋５Ｖかによって、外部アンテナ入力端子１５２とアンテナプラグ１４４とが物理的に接続されているか否かを検出する。
【００３９】
図３Ａの例では、アンテナ入力検出部１６０は、アンテナプラグ１４４が外部アンテナ入力端子１５２に差し込まれて「ＳＥＬ」ポートの入力が＋５Ｖになったら、スイッチＯＮと認識する。アンテナ入力選択部１６２は、アナログマルチプレクサ２０２の「ＯＵＴ」ポートから、外部アンテナ１４０で受信された放送波の受信信号を出力する。一方、アンテナ入力検出部１６０は、アンテナプラグ１４４が外部アンテナ入力端子１５２から抜かれて「ＳＥＬ」ポートの入力が０Ｖになったら、スイッチＯＦＦと認識する。アンテナ入力選択部１６２は、アナログマルチプレクサ２０２の「ＯＵＴ」ポートから、内蔵アンテナ１３０で受信された放送波の受信信号を出力する。すなわち、アンテナ入力選択部１６２は、アンテナ入力検出部１６０の検出結果に応じて、外部アンテナ１４０で受信された受信信号と内蔵アンテナ１３０で受信された受信信号の一方をソフト的に切り換えて選択する。
【００４０】
次に、図３Ｂの例は、アナログマルチプレクサ２０２の「ＳＥＬ」ポートに固定接点２２１が接続される点、可動接点２１１に＋５Ｖの電圧がかけられる点が、図３Ａの例と異なる。また、筒状部１４５を可動接点２１１に当接させて可動接点２１１を動かすのではなく、押圧部材２３０を介して可動接点２１１を動かす点が、図３Ａの例と異なる。以下、図３Ａの例と異なる点を中心に説明する。
【００４１】
固定接点２２１は、アナログマルチプレクサ２０２の「ＳＥＬ」ポートに接続されていない側の端部に接触面２２４を有する。可動接点２１１は、一端が＋５Ｖの電圧端子２２２と接続される。可動接点２１１は電圧端子２２２との接続端から延在して接触面２２４と対向する位置に他端が位置する。可動接点２１１の他端部２１７は、接触面２２４の方向に突出するＶ字状に折り曲げられた接触折り曲げ部２１８が形成される。押圧部材２３０は棒状に延在して形成される。接触折り曲げ部２１８は接触面２２４と対向する面の反対側の面に押圧部材２３０の延在方向の一端が当接する。押圧部材２３０はアンテナプラグ１４４の挿入方向に沿って延在する。押圧部材２３０の他端は、筐体１５０の外部に突出する。押圧部材２３０の他端は、外部アンテナ入力端子１５２の外周の近傍に位置する。
【００４２】
アンテナプラグ１４４を外部アンテナ入力端子１５２に挿入する際、筒状部１４５が押圧部材２３０の他端に当接する。すると、押圧部材２３０は押圧部材２３０の延在方向に沿って動いて接触折り曲げ部２１８を押圧する。その結果、接触折り曲げ部２１８が動いて接触面２２４と接触するから、「ＳＥＬ」ポートの入力は＋５Ｖとなる。一方、アンテナプラグ１４４が外部アンテナ入力端子１５２から抜かれたら、筒状部１４５と押圧部材２３０の接触が解除される。これにより可動接点２１１には元の位置に復元する力が加わる。その結果、可動接点２１１は固定接点２２１と離れるから、「ＳＥＬ」ポートの入力は０Ｖとなる。
【００４３】
次に、図３Ｃの例は、筒状部１４５で押圧部材２３０を押圧するのではなく、アンテナプラグ１４４の信号芯線で押圧部材２３０を押圧する点が、図３Ｂの例と異なる。以下、図３Ｂの例と異なる点を中心に説明する。
【００４４】
可動接点２１１は、一端が＋５Ｖの電圧端子２２２と接続される。可動接点２１１は電圧端子２２２との接続端から延在して接触面２２４と対向する位置を通ってさらに所定の長さ延在した箇所に他端が位置する。可動接点２１１は、接触面２２４に対向する部分に、接触面２２４の方向に突出するＶ字状に折り曲げられた接触折り曲げ部２１８が形成される。押圧部材２３０は、棒状に延在して形成される。押圧部材２３０の延在方向の一端は可動接点２１１の他端部２１９に当接する。押圧部材２３０はアンテナプラグ１４４を外部アンテナ入力端子１５２に挿入する際の信号芯線の挿入方向に延在して設けられる。押圧部材２３０の他端は外部アンテナ入力端子１５２の筒内の所定の箇所に突出して設けられる。
【００４５】
アンテナプラグ１４４が外部アンテナ入力端子１５２に挿入されると、アンテナプラグ１４４の信号芯線が押圧部材２３０の他端に当接する。すると、押圧部材２３０は延在方向に沿って動いて他端部２１９を押圧する。その結果、接触折り曲げ部２１８が固定接点２２１の方向に動いて接触面２２４と接触するから、「ＳＥＬ」ポートの入力は＋５Ｖとなる。一方、アンテナプラグ１４４が外部アンテナ入力端子１５２から抜かれたら、アンテナプラグ１４４の信号芯線と押圧部材２３０の接触が解除される。これにより可動接点２１１には元の位置に復元する力が加わる。その結果、可動接点２１１は固定接点２２１と離れるから、「ＳＥＬ」ポートの入力は０Ｖとなる。
【００４６】
次に、図４を用いて放送受信装置の動作の一例を説明する。図４は、実施例にかかる放送受信装置の動作フローを示す図である。まず、ユーザーは、１３セグ放送を受信したい場合には、外部アンテナ１４０を外部アンテナ入力端子１５２に接続するアンテナ接続作業を行う。ただし、アンテナ接続作業は、外部アンテナ１４０を使用する場合に行われる。
【００４７】
続いて、ユーザーによってＴＶアプリケーションを起動するアクションが行われたら、可搬型ＰＣ１００はＴＶアプリケーションを起動する（ステップＳ１）。ＴＶアプリケーションの起動は、テレビ映像の表示を開始する場合またはテレビ映像の録画を開始する場合を含む。ここで、可搬型ＰＣ１００は、接続されているアンテナを確認する（ステップＳ２）。具体的には、アンテナ入力検出部１６０により、外部アンテナ１４０が外部アンテナ入力端子１５２に物理的に接続されているか否かを検出する。
【００４８】
外部アンテナ１４０が外部アンテナ入力端子１５２に物理的に接続されている場合には、ステップＳ４に進んで、１３セグテレビ視聴部１８６は、１３セグチューナーを起動する（ステップＳ３）。これにより、外部アンテナ１４０で受信された放送波の受信信号に、１３セグ放送用の信号処理が行われる。続いて、１３セグテレビ視聴部１８６は、ステップＳ４で信号処理された受信信号に基づいてライブＴＶを表示する（ステップＳ４）。
【００４９】
その後、ユーザーによって、ＴＶアプリケーションを終了するアクションが行われたら、アンテナ入力選択部１６２は、前回起動状態を１３セグに設定する（ステップＳ５）。すなわち、アンテナ入力選択部１６２は、現在の受信モードが１３セグ受信モードなのかワンセグ受信モードなのかの情報を有する。そこで、アンテナ入力選択部１６２は、ＨＤＤ１１２の前回起動状態を格納する領域に、現在の受信モードを格納する。ステップＳ５は、アンテナ入力選択部１６２ではなく、アンテナ入力検出部１６０が行うこともできる。前回起動状態を１３セグに設定したら、可搬型ＰＣ１００はＴＶアプリケーションを終了する（ステップＳ６）。
【００５０】
一方、ステップＳ２で、外部アンテナ１４０が外部アンテナ入力端子１５２に物理的に接続されていないと判断された場合は、ワンセグテレビ視聴部１８８は、ワンセグチューナーを起動する（ステップＳ７）。これにより、内蔵アンテナ１３０で受信された放送波の受信信号に、ワンセグ放送用の信号処理が行われる。
【００５１】
続いて、メッセージ生成部１８９は、前回起動状態を確認する（ステップＳ８）。すなわち、メッセージ生成部１８９は、ＨＤＤ１１２の前回起動状態を格納する領域を読みこんで、前回起動状態が１３セグ放送かワンセグ放送かを確認する。前回起動状態がワンセグ放送の場合、ステップＳ７で信号処理された受信信号に基づいてライブＴＶを表示する（ステップＳ９）。
【００５２】
その後、ユーザーによって、ＴＶアプリケーションを終了させるアクションが行われたら、アンテナ入力選択部１６２は、前回起動状態をワンセグに設定する（ステップＳ１０）。前回起動状態をワンセグに設定したら、可搬型ＰＣ１００はＴＶアプリケーションを終了する（ステップＳ１１）。
【００５３】
他方、ステップＳ８で、前回起動状態が１３セグ放送と判断された場合は、ステップＳ７で信号処理された受信信号に基づいてライブＴＶを表示する（ステップＳ１２）。ここで、ステップＳ１２とあわせて、メッセージ生成部１８９は、「ワンセグ放送を表示します。１３セグ放送を表示したい場合は外部アンテナを接続してご使用ください」などのメッセージを生成して画面に表示する（ステップＳ１３）。
【００５４】
図５は、１３セグ放送からワンセグ放送へ切り換えた際のメッセージの表示例を示す図である。図５に示すように、表示部１１０に表示されたワンセグ放送画面２４０の下部には、「ワンセグ放送を表示します。１３セグ放送を表示したい場合は外部アンテナを接続してご使用ください」などのメッセージ２４２が表示される。
【００５５】
その後、ユーザーによって、ＴＶアプリケーションを終了させるアクションが行われたら、アンテナ入力選択部１６２は、前回起動状態をワンセグに設定する（ステップＳ１４）。前回起動状態をワンセグに設定したら、可搬型ＰＣ１００はＴＶアプリケーションを終了する（ステップＳ１５）。
【００５６】
以上、本実施例によれば、可搬型ＰＣ１００は、外部アンテナ１４０の抜き差しのみの簡易な操作により、ワンセグ受信モードと１３セグ受信モードのいずれかを選択する機能をユーザーに提供することができる。つまり、従来、ユーザーは外部アンテナ１４０の抜き差しだけではなく、ワンセグ受信モードと１３セグ受信モードのいずれかを選択する操作が必要であった。これに対して、本実施例の可搬型ＰＣ１００によれば、ユーザーが外部アンテナ１４０を外部アンテナ入力端子１５２に挿入するだけで、１３セグ放送を受信することができる。また、本実施例の可搬型ＰＣ１００によれば、ユーザーが外部アンテナ１４０を外部アンテナ入力端子１５２から抜くだけで、ワンセグ放送を受信することができる。したがって、本実施例の可搬型ＰＣ１００は、ユーザーの煩雑な操作を要さずにユーザーが希望する受信モードを選択することができる。
【００５７】
また、メッセージ生成部１８９は、前回起動状態が１３セグ放送であり、今回起動状態がワンセグ放送の場合のみ、ワンセグ放送を表示する旨、および１３セグ放送を表示したい場合は外部アンテナ１４０を接続して使用すべき旨のメッセージを画面に表示する。言い換えれば、メッセージ生成部１８９は、１３セグ放送からワンセグ放送に切り換える場合にのみ、メッセージを表示する。すなわち、前回起動状態と今回起動状態が同じ場合には、画面にメッセージを表示しなくてもよい。また、前回起動状態と今回起動状態が異なる場合であっても、ワンセグ放送から１３セグ放送へ切り換わるときは、テレビ映像の画質が前回と比べて向上するので、メッセージを表示しなくてもよい。これに対して、１３セグ放送からワンセグ放送へ切り換わるときには、テレビ映像の画質が前回と比べて劣化するので、画面にその旨のメッセージを表示する。これによれば、ユーザーが放送受信機の不具合などに起因してテレビ映像の画質が劣化したと誤認するおそれを排除することができるので好ましい。
【００５８】
上記の実施例に係る実施形態に関し、さらに以下の付記を開示する。
【００５９】
（付記１）筐体の外部に設置された外部アンテナのアンテナプラグが接続される外部アンテナ入力端子と、
前記筐体の内部に収容されるかまたは前記筐体にあらかじめ取り付けられた内蔵アンテナと、
前記外部アンテナ入力端子と前記アンテナプラグとが物理的に接続されているか否かを検出するアンテナ入力検出部と、
前記アンテナ入力検出部の検出結果に応じて、前記外部アンテナで受信された放送波の受信信号に第一の信号処理を行う第一受信モードと前記内蔵アンテナで受信された放送波の受信信号に第二の信号処理を行う第二受信モードのうち一方を選択する受信モード選択部と
を備えたことを特徴とする放送受信装置。
【００６０】
（付記２）前記受信モード選択部が、前記第一受信モードの選択から前記第二受信モードの選択へ切り換える場合、
前記第二受信モードで放送が受信される旨、および前記第一受信モードで放送を受信したい場合は外部アンテナを接続すべき旨のメッセージを生成するメッセージ生成部を
さらに備えたことを特徴とする付記１に記載の放送受信装置。
【００６１】
（付記３）前記アンテナ入力検出部は、前記筐体の内部に固定された固定接点と、前記固定接点と接離可能に設けられ、前記アンテナプラグが前記外部アンテナ入力端子に接続されていない状態では前記固定接点と離れており、前記アンテナプラグを前記外部アンテナ入力端子に接続する際に前記アンテナプラグと当接して前記固定接点と接触する可動接点とを有し、
前記固定接点と前記可動接点とが接触しているか否かによって、前記外部アンテナ入力端子と前記アンテナプラグとが物理的に接続されているか否かを検出する付記１または２に記載の放送受信装置。
【００６２】
（付記４）筐体の外部に設置された外部アンテナのアンテナプラグと外部アンテナ入力端子とが物理的に接続されているか否かを検出する検出ステップと、
前記検出ステップでの検出結果に応じて、前記外部アンテナで受信された放送波の受信信号に第一の信号処理を行う第一受信モードと、前記筐体の内部に収容されるかまたは前記筐体にあらかじめ取り付けられた内蔵アンテナで受信された放送波の受信信号に第二の信号処理を行う第二受信モードのうち一方を選択するステップと
を含んだことを特徴とする受信モード選択方法。
【００６３】
（付記５）前記受信モードを選択するステップが、前記第一受信モードの選択から前記第二受信モードの選択へ切り換える場合、
前記第二受信モードで放送が受信される旨、および前記第一受信モードで放送を受信したい場合は外部アンテナを接続すべき旨のメッセージを生成するステップをさらに備えたことを特徴とする付記４に記載の受信モード選択方法。
【００６４】
（付記６）前記アンテナプラグと外部アンテナ入力端子とが物理的に接続されているか否かを検出するステップは、
前記筐体の内部に固定された固定接点と、前記固定接点と接離可能に設けられ、前記アンテナプラグが前記外部アンテナ入力端子に接続されていない状態では前記固定接点と離れており、前記アンテナプラグを前記外部アンテナ入力端子に接続する際に前記アンテナプラグと当接して前記固定接点と接触する可動接点とが接触しているか否かによって行われる付記４または５に記載の受信モード選択方法。
【００６５】
（付記７）筐体の外部に設置された外部アンテナのアンテナプラグと外部アンテナ入力端子とが物理的に接続されているか否かを検出する検出手順と、
前記検出手順での検出結果に応じて、前記外部アンテナで受信された放送波の受信信号に第一の信号処理を行う第一受信モードと、前記筐体の内部に収容されるかまたは前記筐体にあらかじめ取り付けられた内蔵アンテナで受信された放送波の受信信号に第二の信号処理を行う第二受信モードのうち一方を選択する手順と
をコンピュータに実行させることを特徴とする受信モード選択プログラム。
【００６６】
（付記８）前記受信モードを選択する手順が、前記第一受信モードの選択から前記第二受信モードの選択へ切り換える場合、
前記第二受信モードで放送が受信される旨、および前記第一受信モードで放送を受信したい場合は外部アンテナを接続すべき旨のメッセージを生成するステップをさらに備えたことを特徴とする付記７に記載の受信モード選択プログラム。
【００６７】
（付記９）前記アンテナプラグと外部アンテナ入力端子とが物理的に接続されているか否かを検出する手順は、
前記筐体の内部に固定された固定接点と、前記固定接点と接離可能に設けられ、前記アンテナプラグが前記外部アンテナ入力端子に接続されていない状態では前記固定接点と離れており、前記アンテナプラグを前記外部アンテナ入力端子に接続する際に前記アンテナプラグと当接して前記固定接点と接触する可動接点とが接触しているか否かによって行われる付記７または８に記載の受信モード選択プログラム。
【符号の説明】
【００６８】
１００  可搬型ＰＣ
１３０  内蔵アンテナ
１４０  外部アンテナ
１４４  アンテナプラグ
１５２  外部アンテナ入力端子
１６０  アンテナ入力検出部
１６２  アンテナ入力選択部
１８６  １３セグテレビ視聴部
１８８  ワンセグテレビ視聴部
１８９  メッセージ生成部
１９０  受信モード選択部
２１０  可動接点
２２０  固定接点
【図１】
0005581733.tif 000002
【図２】
0005581733.tif 000003
【図３Ａ】
0005581733.tif 000004
【図３Ｂ】
0005581733.tif 000005
【図３Ｃ】
0005581733.tif 000006
【図４】
0005581733.tif 000007
【図５】
0005581733.tif 000008